(57)【特許請求の範囲】
【請求項１】
沈殿分離室、ばっ気室、沈殿室、消毒槽を、この順番で連通させた地下埋設の単独処理浄化槽と、膜モジュール、該膜モジュールの下方に設置される散気管を有した地上設置される膜処理槽と、ばっ気室と膜処理槽とを配管接続する移送管と、膜モジュールと消毒槽とを配管接続する流出管と、膜処理槽底部と沈殿分離室とを配管接続する余剰汚泥返送管とを備えた浄化槽。
【請求項２】
請求項１において、余剰汚泥返送管が、その途中に膜処理槽内の汚泥含有量を調整する弁を有した浄化槽。
【請求項３】
請求項１又は２において、移送管が、膜処理槽の膜モジュール上面部よりも上方に接続された浄化槽。
【請求項４】
請求項１乃至３のいずれかにおいて、ばっ気室が、水位センサを有した浄化槽。
【発明の詳細な説明】
【０００１】
【発明の属する技術分野】
本発明は、既存の単独処理浄化槽に地上設置の膜処理槽を接続し、合併処理可能とした浄化槽に関する。
【０００２】
【従来の技術】
従来からし尿浄化の方法として、単独処理浄化槽を用いる方法がある。図３を用いて前記単独処理浄化槽を説明すると、単独処理浄化槽は、流入口３０を有する沈殿分離室３１と、ばっ気室３２と、沈殿室３３と、流出口３５を有する消毒槽３４とをこの順番で連通させたもので、前記ばっ気室３２には、好気処理を行うための接触材３６と、該接触材３６の下方から空気を吐出する散気管３７と、接触材３６を閉塞させないために定期的に強い空気流を接触材３６に向けて吐出する逆洗管３８とを備えている。
【０００３】
浄化すべきし尿は、流入口３０より沈殿分離室３１に流入し、該沈殿分離室３１にて固液分離を行った後、上澄み液がばっ気室３２へと流入する。ばっ気室３２に流入した上澄み液は、前記ばっ気室３２に設置した接触材３６に接触し、散気管３７から吐出される空気により好機処理が行われ、該好機処理の後に沈殿室３３に流入する。尚、接触材３６は継続的に使用すると、生物膜が厚く堆積するために、定期的に逆洗管３８から（散気管３７から吐出するよりも大量の）空気を吐出させ、生物膜を剥離する。沈殿室３３に流入した浄化水は、沈殿分離を行った後に、消毒槽３４にて塩素剤による滅菌処理を行った後、流出口３５から系外に放流される。
【０００４】
前述した単独処理浄化槽は、し尿の浄化のみを行う浄化槽であるが、近年の環境問題に対応するため、家庭雑排水（台所水、風呂水等）及びし尿を同時に浄化処理する合併処理浄化槽も広く一般に使用されている。図４を用いて合併処理浄化槽の説明をすると、合併処理浄化槽は、流入口４０を有した嫌気濾床槽第１室４１と、嫌気濾床槽第２室４３と、接触ばっ気室４５と、沈殿室４９と、流出口５１を有した消毒槽５０とをこの順番で連通させたもので、前記嫌気濾床槽第１室４１及び嫌気濾床槽第２室４３内部には、嫌気処理を行うための濾材４２、４４を各々配置し、前記接触ばっ気室４５には、好気処理を行うための接触材４６、該接触材４６へ空気を吐出し好気状態を維持する散気管４７、前記接触材４６を閉塞させないための逆洗管４８とを配置している。
【０００５】
家庭雑排水及びし尿は、流入口４０から嫌気濾床槽第１室４１に流入し、濾材４２を通過することにより、嫌気処理され栄養基質を除去される。更に、嫌気濾床槽第２室４３においても濾材４４を通過し嫌気処理を行った後、接触ばっ気室４５へと流入する。接触ばっ気室４５では、接触材４６を通過することにより好気処理が行われ、その後沈殿室４９にて沈殿分離が行われる。沈殿室４９での上澄み液は、消毒槽５０にて塩素剤による滅菌処理を行い、流出口５１より系外へと放流される。
【０００６】
【発明が解決しようとする課題】
前述したように、環境に対する配慮を強く求められる今日においては、単独処理浄化槽の使用よりも合併処理浄化槽を設置することが多く、単独処理浄化槽を設置することはあまり行われていない。しかし、既に単独処理浄化槽を設置している家庭にて合併処理を行なおうとした場合には、既設の単独処理浄化槽を廃棄し、新たに合併処理浄化槽を購入し、設置する必要がある。そして、新たな合併処理浄化槽の購入は、製品自体及び既設の単独処理浄化槽の掘り出し費用等を発生させ、更には、掘り出した単独処理浄化槽を廃棄するとの課題が出てくる。
【０００７】
本発明は、前記課題に鑑みなされたものであり、既設の単独処理浄化槽を有効利用し、単独処理浄化槽を合併処理浄化槽の一部として使用することにより、単独処理浄化槽を廃棄するとの課題を解決し、新たに合併処理浄化槽を購入するよりも安価に合併処理浄化槽に改造することを目的とする。
【０００８】
【課題を解決するための手段】
本発明は、沈殿分離室、ばっ気室、沈殿室、消毒槽を、この順番で連通させた地下埋設の単独処理浄化槽と、膜モジュール、該膜モジュールの下方に設置される散気管を有した地上設置される膜処理槽と、ばっ気室と膜処理槽とを配管接続する移送管と、膜モジュールと消毒槽とを配管接続する流出管と、膜処理槽底部と沈殿分離室とを配管接続する余剰汚泥返送管とを備えた浄化槽である。
また、余剰汚泥返送管が、その途中に膜処理槽内の汚泥含有量を調整する弁を有した浄化槽である。
更に、移送管が、膜処理槽の膜モジュール上面部よりも上方に接続された浄化槽である。
更に、ばっ気室が、水位センサを有した浄化槽である。
【０００９】
【発明の実施の形態】
本発明に用いる膜モジュール８は、一般的な多孔性物質により形成されるものであり、具体的には、枠体の両面に多孔質ポリエチレンの膜を張り合わせたもの等が使用可能である。浄化は、多孔質ポリエチレンの膜を汚水が通過することにより固液分離を行い、固体はその場で好機処理される。
【００１０】
移送管１２は、既設の単独処理浄化槽７内のばっ気室３から膜処理槽１０へポンプ１１にて汚水を流入させるものであり、ばっ気室３内に水位センサ（図示省略）を設置した場合には、ばっ気室３の任意の水量で移送可能となる。移送管１２と膜処理槽１０との接続箇所は、特に限定されるものではないが、膜処理槽１０の底部に汚泥を沈殿させるため、膜モジュール８の上面部よりも上方に接続し、落下する汚水が一旦膜モジュール８に降りかかるようにすることが好ましい。尚、ばっ気室３に図３に示す接触材３６が設置されている場合には、これを取り除いても良い。即ち、ばっ気室３は、好機処理を行うために使用するものではなく、流量調整槽として使用することとなる。
【００１１】
流出管１３は、膜モジュール８を通過した処理水を消毒槽５へ流入させるものであり、該流入は、その水頭差（膜モジュール８が地上設置であり、消毒槽５が地中設置であるため、必ず水位の高低差がある）によって行うため、ポンプ等を設けなくとも自然に移流する。
【００１２】
余剰汚泥返送管１５は、その途中に弁１４を有しており、該弁１４の開閉により膜処理槽１０内の汚泥含有量を調整する。該汚泥の流出も、前述した流出管１３と同様に、水頭差によって弁１４を開弁することにより自然に行われるものである。
【００１３】
【実施例】
以下図面を用いて、本発明の実施例を説明する。図１は、本発明の浄化槽を示す模式図であり、既設の単独処理浄化槽７に対して膜処理槽１０を配管接続している。該配管接続は、３箇所にて行われるものであり、該３箇所は、１つ目がばっ気室３と膜処理槽１０、２つ目が膜モジュール８と消毒槽５、３つ目が膜処理槽１０底部と沈殿分離室２となっている。
【００１４】
次に汚水浄化の流れを説明すると、生活雑排水及びし尿は、配管１６、１７から流入口１を介して沈殿分離室２に流入し、該沈殿分離室２にて汚水の沈殿分離が行われる。沈殿分離した後の上澄み液は、ばっ気室３へと流入し、ポンプ１１により移送管１２を介して膜処理槽１０へ流入させるまで貯留させる。この際、ばっ気室３は、上澄み液の流量調整槽として機能するものであり、単独処理浄化槽として機能していた好機処理を行う必要はない。
【００１５】
膜処理槽１０は、図２に示すように、内部に膜モジュール８及び散気管９を内蔵しており、前記膜処理槽１０上方に接続した移送管１２から膜処理槽１０に流入した上澄み液は、膜モジュール８にてミクロンサイズの固液分離を行い、流出管１３より分離した処理水を図１に示す消毒槽５へと移流させる。そして、消毒槽５に移流させた処理水は、塩素剤により滅菌処理を施した後に、流出口６より系外に放流される。
【００１６】
前記膜モジュール８にて消毒槽５へと移流しない固形分（汚泥）は、膜モジュール８下方に設置した散気管９からの空気供給を受け、好機処理が行われる。前記空気の供給は、散気管９に接続したブロワ１８により行い、運転時間は、タイマ１９により予め設定しておく。但し、全ての汚泥が好機処理により分解されることは少ないので、膜処理槽１０底部に沈殿した汚泥（余剰汚泥）は、弁１４を開弁し、余剰汚泥返送管１５により、図１に示す沈殿分離室２へと移送する。尚、沈殿分離室２内の汚泥が、必要以上に蓄積された場合には、マンホール２０より汚泥を吸引する必要があるが、吸引の頻度は１回／年程度であるので使用者の負担になることはない。
【００１７】
【発明の効果】
本発明では、既設の単独処理浄化槽を沈殿分離室及び流量調整槽として有効活用することにより、地上に膜処理槽を付設するだけで、合併処理を可能としているため、単独処理浄化槽を廃棄する必要がなく、新規に合併処理浄化槽を購入する必要もなくなる。そして、地中を掘り起こすのは、配管部分だけであるため、合併処理浄化槽を埋設する工事費用に比較し、安価な設置費用となる。
【００１８】
更に、本発明の浄化槽は、膜処理槽を地上設置にしているため、膜モジュールを交換する必要があっても、容易に交換作業を行うことが可能となる。
【図面の簡単な説明】
【図１】本発明の実施例である、浄化槽の模式図を示す。
【図２】本発明の浄化槽に使用する膜処理槽部分の拡大図を示す。
【図３】従来使用していた単独処理浄化槽の断面図を示す。
【図４】従来使用していた合併処理浄化槽の断面図を示す。
【符号の説明】
１．流入口  ２．沈殿分離室  ３．ばっ気室  ４．沈殿室  ５．消毒槽  ６．流出口  ７．単独処理浄化槽  ８．膜モジュール  ９．散気管  １０．膜処理槽  １１．ポンプ  １２．移送管  １３．流出管  １４．弁  １５．余剰汚泥返送管１６．配管  １７．配管  １８．ブロワ  １９．タイマ  ２０．マンホール  ３０．流入口  ３１．沈殿分離室  ３２．ばっ気室  ３３．沈殿室  ３４．消毒槽  ３５．流出口  ３６．接触材  ３７．散気管  ３８．逆洗管  ４０．流入口４１．嫌気濾床槽第１室  ４２．濾材  ４３．嫌気濾床槽第２室  ４４．濾材４５．接触ばっ気室  ４６．接触材  ４７．散気管  ４８．逆洗管  ４９．沈殿室  ５０．消毒槽  ５１．流出口
【図１】
0003707588.tif 000002
【図２】
0003707588.tif 000003
【図３】
0003707588.tif 000004
【図４】
0003707588.tif 000005